(57)【要約】      （修正有）【課題】確実に遮光できると共に、保守作業時の作業性に優れた表示装置の扉開閉構造及び表示装置を提供する。【解決手段】ケース８と、このケース８に装着されて前面側に情報を表示する表示部と、表示部に隣接してケース８に回動可能に枢支された複数の扉２、３と、相隣接する扉２、３の間に形成される隙間を覆うように各扉２、３の裏面側に配置された遮光板４とを具備している。遮光板４は扉２、３と略同軸に回動可能に枢支される。そして、遮光板４は、各扉２、３とマグネット５により着脱可能に係合している。【選択図】図１
2007121810.tif 000002
【特許請求の範囲】
【請求項１】
情報を表示する表示部（１）と、上記表示部１に隣接して設けられた複数の扉（２）（３）と、複数の扉（２）（３）の間の隙間（Ｓ）を覆うように配置され表示部（１）からの光漏れを防止する遮光板（４）とを具備し、上記複数の扉（２）（３）のうち少なくとも一方と上記遮光板（４）とが連動して開閉するよう構成したことを特徴とする表示装置の扉開閉構造。
【請求項２】
上記各扉（２）（３）と遮光板（４）との間にマグネット５を設け、各扉（２）（３）と遮光板（４）とを着脱可能にしたことを特徴とする請求項１の表示装置の扉開閉構造。
【請求項３】
ケース（８）と、このケース（８）に装着されて前面側に情報を表示する表示部（１）と、上記表示部（１）に隣接してケース（８）に回動可能に枢支された複数の扉（２）（３）と、相隣接する扉（２）（３）の間に形成される隙間（Ｓ）を覆うように各扉（２）（３）の裏面側に配置された遮光板（４）とを具備し、上記遮光板（４）は上記扉（２）（３）と略同軸に回動可能に枢支されると共に、上記各扉（２）（３）とマグネット（５）により着脱可能に係合していることを特徴とする表示装置。
【発明の詳細な説明】
【技術分野】
【０００１】
この発明は、表示装置の扉開閉構造及び表示装置に関するものである。
【背景技術】
【０００２】
各種情報を表示する表示装置、例えば液晶表示器では、バックライトが使用されている（特許文献１参照）。この表示器は、バックライト等で装置内が明るく、図５のように、ケース１０の前面に、表示部１１に隣接して、上下２枚の保守用扉１２、１３が設けられている。この場合には、両保守用扉１２、１３の間に形成される隙間Ｓから光が漏れ出すおそれがあるので、両保守用扉１２、１３の背面側の位置に、図６に示すように、隙間Ｓを覆うように固定型の遮光板１４を設ける構造が採用されている。この構造によれば、光の漏れ出しは防止できるが、表示装置内部の機器実装エリアが遮光板１４で分割されるため、大型の実装部品の取り外しや収納等の保守作業性が低下する。そこで、図７（ａ）（ｂ）に示すように、保守用扉１２と保守用扉１３との間に、回動可能な可動型の遮光板１４を設ける構造が実用に供されている。
【０００３】
【特許文献１】特開２０００−１３７４４３号公報
【発明の開示】
【発明が解決しようとする課題】
【０００４】
しかしながら、上記のように可動型の遮光板１４を設けた場合には、実装部品の寸法上の制約は解消されるが、ケース１０の前面開口部を全開にしようとすると、図７（ｂ）に示すように、両保守用扉１２、１３を開けた後、さらに、可動型の遮光板１４を開放する必要があり、保守作業時の作業性に難がある。
【０００５】
この発明は上記従来の欠点を解決するためになされたものであって、その目的は、確実に遮光できると共に、保守作業時の作業性に優れた表示装置の扉開閉構造及び表示装置を提供することにある。
【課題を解決するための手段】
【０００６】
そこでこの発明の表示装置の扉開閉構造は、情報を表示する表示部１と、上記表示部１に隣接して設けられた複数の扉２、３と、複数の扉２、３の間の隙間Ｓを覆うように配置され表示部１からの光漏れを防止する遮光板４とを具備し、上記複数の扉２、３のうち少なくとも一方と上記遮光板４とが連動して開閉するよう構成したことを特徴としている。
【０００７】
また、この表示装置の扉開閉構造は、上記各扉２、３と遮光板４との間にマグネット５を設け、各扉２、３と遮光板４とを着脱可能にしたことを特徴としている。
【０００８】
さらに、この表示装置は、ケース８と、このケース８に装着されて前面側に情報を表示する表示部１と、上記表示部１に隣接してケース８に回動可能に枢支された複数の扉２、３と、相隣接する扉２、３の間に形成される隙間Ｓを覆うように各扉２、３の裏面側に配置された遮光板４とを具備し、上記遮光板４は上記扉２、３と略同軸に回動可能に枢支されると共に、上記各扉２、３とマグネット５により着脱可能に係合していることを特徴としている。
【発明の効果】
【０００９】
この発明の表示装置の扉開閉構造によれば、遮光板４が可動型であり、全開動作をさせることができるので、機器実装エリアの制限を受けず、ケース８の内部を有効活用して、装置コンパクト化を図ることが可能である。また、扉２、３の開閉動作に、遮光板４が連動するので、扉２、３の開閉作業だけで遮光板４が開閉されるため、保守作業時に良好な作業性を得ることができる。
【００１０】
この発明の表示装置の扉開閉構造によれば、扉２、３の開閉に順序が発生せず、どちらの扉２、３からでも開閉動作を行うことが可能であるため、保守作業時に良好な作業性を得ることができる。
【００１１】
この発明の表示装置によれば、遮光板４が可動型であり、全開動作をさせることができるので、機器実装エリアの制限を受けず、ケース８の内部を有効活用して、装置コンパクト化を図ることが可能である。また、扉２、３の開閉に順序が発生せず、どちらの扉２、３からでも開閉動作を行うことが可能であり、しかも扉２、３の開閉動作に、遮光板４が連動するので、扉２、３の開閉作業だけで遮光板４も開閉されるため、保守作業時に良好な作業性を得ることができる。
【発明を実施するための最良の形態】
【００１２】
次に、この発明の表示装置の扉開閉構造及び表示装置の具体的な実施の形態について、図面を参照しつつ詳細に説明する。図４に示すように、この表示装置は、ケース８を有し、このケース８の前面に、情報を表示する表示部（表示器）１が装着されている。また、この表示部１に隣接して上下一対の保守用扉２、３が装着されている。図１及び図２に示すように、各保守用扉２、３は、ケース１の外側方に回動可能に枢支されている。相隣接する上記各保守用扉２、３の間に形成される隙間Ｓを覆うように、各保守用扉２、３の裏面側に遮光板４が配置されている。
【００１３】
図３に示すように、遮光板４は、折曲形成した棒状の部材で、断面コ字状で底部を外側に向けて配置した遮光部４ａと、遮光部４ａから上下方向（外方）に延びる上下一対の取付部４ｂとを有するものである。上記遮光板４は、上記保守用扉２、３と略同軸に回動可能に枢支されている（図２参照）。そして、上記各保守用扉２、３の裏面側にマグネット５により着脱可能に係合している。
【００１４】
上記表示装置においては、図２（ａ）に示すように、上下両保守用扉２、３を閉鎖した状態においては、遮光板４はマグネット５により、両保守用扉２、３に保持された状態に維持される。この状態から、上方の保守用扉２を開方向に回動すると、図２（ｂ）及び図１に示すように、この保守用扉２は、遮光板４のマグネット５から外れて回動し、遮光板４はマグネット５により、残りの閉鎖状態の保守用扉３に保持された状態に維持される。そして、図２（ｃ）に示すように、両保守用扉２、３を開放した状態においては、遮光板４は、いずれか一方の保守用扉２、３、あるいは両保守用扉２、３に保持された状態となる。下側の保守用扉３を先に開放する場合も上記と略同じ動作をする。そして、両保守用扉２、３を開放した状態から、いずれか一方の保守用扉２を閉鎖方向に回動すると、遮光板４は、マグネット５を介して、閉動作している保守用扉２に係合して、他方の保守用扉３との係合が解除され、上記保守用扉２と共に閉動作する。その後、他方の保守用扉３を閉鎖する。
【００１５】
上記表示装置及びその扉開閉構造によれば、遮光板４が可動型であり、全開動作をさせることができるので、機器実装エリアの制限を受けず、ケース８の内部を有効活用して、装置コンパクト化を図ることが可能である。また、保守用扉２、３の開閉に順序が発生せず、どちらの保守用扉２、３からでも開閉動作を行うことが可能であり、しかも保守用扉２、３の開閉動作に、遮光板４が連動するので、保守用扉２、３の開閉作業だけで遮光板４も開閉されるため、保守作業時に良好な作業性を得ることができる。
【００１６】
以上にこの発明の表示装置の扉開閉構造及び表示装置の具体的な実施の形態について説明したが、この発明は上記実施の形態に限定されるものではなく、この発明の範囲内で種々変更して実施することが可能である。例えば、上記実施形態においては、遮光板４は、上記保守用扉２、３と略同軸に回動可能に枢支され構造を例示しているが、請求項１、請求項２においては、支持機構を有さないもの、あるいは同軸ではなく別軸に支持するものも包含している。
【図面の簡単な説明】
【００１７】
【図１】この発明の第１実施の形態である表示装置の部分斜視図である。
【図２】上記表示装置の動作状態を示す説明図である。
【図３】上記表示装置の要部を示す断面図である。
【図４】上記表示装置の要部を示す部分平面図である。
【図５】従来例を示す部分平面図である。
【図６】従来例を示す部分平面図である。
【図７】従来例の動作説明図である。
【符号の説明】
【００１８】
１  表示部
２  保守用扉
３  保守用扉
４  遮光板
５  マグネット
【図１】
2007121810.tif 000003
【図２】
2007121810.tif 000004
【図３】
2007121810.tif 000005
【図４】
2007121810.tif 000006
【図５】
2007121810.tif 000007
【図６】
2007121810.tif 000008
【図７】
2007121810.tif 000009